【手続補正書】
【提出日】平成23年12月10日(2011.12.10)
【手続補正１】
【補正対象書類名】特許請求の範囲
【補正対象項目名】全文
【補正方法】変更
【補正の内容】
【特許請求の範囲】
【請求項１】
電気スイッチであって、
少なくとも第１の電気導体と、第２の周辺電気導体と、中央電気導体とを表面に有するベースと、
前記ベース上に配置される導電性を有する柔軟性ドームであって、
当該柔軟性ドームのドーム部から延出し、前記ベースの前記第１の周辺電気導体に電気的に接触する複数の比較的長い脚と、前記ドーム部から延出し、前記ベースの前記第２の周辺電気導体上に重なる比較的短い脚とを有し、前記ドーム部は前記ベースの前記中央電気導体上に重なるものであり、前記柔軟性ドームは所定の作動距離を有し、
前記柔軟性ドームの比較的短い脚は、前記柔軟性ドームが第１の作動力で前記ベースに向かって押圧されるとき、前記ベースの前記第２の電気導体に電気的に接触し、前記柔軟性ドームのドーム部は、前記柔軟性ドームが前記第１の作動力よりも大きい第２の作動力で前記ベースに向かって押圧されるとき、前記ベースの前記中央電気導体に電気的に接触するものである、
前記導電柔軟性ドームと、
前記柔軟性ドームに当接する第１の端部と、第２の端部とを有するばねと、
前記ばねの前記第２の端部に配置され、前記ばねによって前記柔軟性ドームから離れる方向に付勢力される作動用押しボタンと
を有し、
前記作動用押しボタンは、前記ばねを介して前記柔軟性ドームへ力を加えるために移動自在であり、
前記ばねは選択的なばねレートを有するものであり、それにより、前記作動用押しボタンは、前記柔軟性ドームに対する前記第２の作動力を生成するために、前記柔軟性ドームの作動距離よりも実質的に長い距離にわたって移動される必要があるものである
電気スイッチ。
【請求項２】
請求項１記載の電気スイッチにおいて、前記ばねは、前記柔軟性ドームの作動距離よりも実質的に長い長さを有するものである電気スイッチ。
【請求項３】
請求項１記載の電気スイッチにおいて、さらに、
前記ベースに隣接して配置されるハウジングカバーを有し、
前記ハウジングカバーは中央の空洞部を画定する壁と、当該ハウジングカバーを貫通する開口部とを有し、当該開口部において前記作動用押しボタンが移動自在であり、
前記柔軟性ドームおよび前記ばねは、前記ハウジングカバーの空洞部に配置され、
前記ベースの前記中央および周辺電気導体に対する電気的接続は、前記ベース上の電気導体、前記ベースから延在する電気導体、または前記ベース上にありかつ前記ベースから延在する電気導体によって行われるものである電気スイッチ。
【請求項４】
請求項３記載の電気スイッチにおいて、少なくとも１つのばねが前記ベースから延出し、前記ベースの前記中央電気導体、前記第１の周辺電気導体、および前記第２の周辺電気導体のうちの少なくとも１つに対する電気的接続を提供するものである電気スイッチ。
【請求項５】
請求項４記載の電気スイッチにおいて、前記少なくとも１つのばねは、前記ベースによって画定される平面に略平行な方向に延出する２つの同心ばねを含むものである電気スイッチ。
【請求項６】
請求項１記載の電気スイッチにおいて、さらに、
略円柱形のモジュールを画定する第１および第２のハウジング部分を有し、
当該電気スイッチの前記ベースは前記第１および第２のハウジング部分の間に配置され、前記２つの同心ばねは前記略円柱形のモジュールから当該モジュールの軸方向に延出し、前記作動用押しボタンは前記第１のハウジング部分の開口部を通って作動自在なものである電気スイッチ。
【請求項７】
請求項１記載の電気スイッチにおいて、この電気スイッチはコントローラおよび負荷に組み合わせられ、
前記コントローラは、前記柔軟性ドームの比較的短い脚による前記ベースの第１の周辺電気導体と第２の周辺電気導体との間の接続、前記柔軟性ドームのドーム部による前記ベースの中央導体と前記第１の周辺電気導体との間の接続、前記柔軟性ドームのドーム部による前記ベースの中央導体と前記第１の周辺電気導体との間の接続の解除、前記柔軟性ドームの比較的短い脚による前記ベースの第１のの周辺電気導体と、第２の周辺電気導体との間の接続の解除、または上記の任意の組み合わせに応答して前記負荷を制御するものである電気スイッチ。
【請求項８】
請求項７記載の電気スイッチにおいて、前記負荷の制御は、前記負荷を一時的に作動させること、前記負荷を継続的に作動させること、前記負荷を非作動にすること、前記負荷の作動および非作動状態の間を交互に繰り返すこと、前記負荷をより高い作動状態からより低い作動状態に変化させること、前記負荷をより低い作動状態からより高い作動状態に変化させること、または上記の任意の組み合わせを含むものである電気スイッチ。
【請求項９】
請求項７記載の電気スイッチにおいて、前記負荷は電気光源であり、前記コントローラは、一時的なオン、継続的なオン、オフ、点滅、および減光動作状態、および選択的に非減光動作状態に前記光源を制御するものである電気スイッチ。
【請求項１０】
懐中電灯であって、
前端部と、後端部と、電池を収容するための空洞部とを有するハウジングと、
前記ハウジングの前記前端部に近接して配置された電気光源と、
前記ハウジングに配置され、第１のスイッチコンタクトを提供する第１の押しボタンスイッチとを有し、
前記第１の押しボタンスイッチは、第１の導電柔軟性ドームを含み、この第１の導電柔軟性ドームは、当該ドームのドーム部から延在する複数の比較的長い脚と、比較的短い脚とを有し、前記第１の柔軟性ドームの前記比較的短い脚は、前記第１の柔軟性ドームが第１の作動力で押圧されるとき、前記第１のスイッチコンタクトの第１の通常開放されたスイッチコンタクトを閉じ、前記第１の柔軟性ドームの前記ドーム部は、前記第１の柔軟性ドームが第２の作動力で押圧されるとき、前記第１のスイッチコンタクトの第２の通常開放されたスイッチコンタクトを閉じるものであり、
前記懐中電灯は、前記ハウジングに配置されたコントローラを有し、当該コントローラは、電池が前記ハウジングの空洞部に提供されたとき、前記電気光源および当該電池に電気的に接続されて当該電池からの電力を前記電気光源に選択的に接続するものであり、
前記コントローラは、前記第１の押しボタンスイッチに電気的に接続されており、前記電池が前記ハウジングの空洞部に存在するとき、前記第１の押しボタンスイッチの前記第１のスイッチコンタクトの閉鎖、開放、または両方に応答して前記電気光源への電力を制御し、前記電気光源を少なくとも選択的に作動および非作動にするものであり、
上記制御により、前記電気光源を作動するための電力を前記第１の押しボタンスイッチに流すことなく、前記第１の押しボタンスイッチに応答して、前記電気光源を選択的に作動および非作動にすることが可能となることを特徴とする
懐中電灯。
【請求項１１】
請求項１０記載の懐中電灯において、さらに、
前記ハウジングに配置され、第２のスイッチコンタクトを提供する第２の押しボタンスイッチを有し、
前記第２の押しボタンスイッチは、第２の導電柔軟性ドームを含み、この第２の導電柔軟性ドームは、当該ドームのドーム部から延在する複数の比較的長い脚と、比較的短い脚とを有し、前記第２の柔軟性ドームの前記比較的短い脚は、前記第２の柔軟性ドームが第１の作動力で押圧されるとき、前記第２のスイッチコンタクトの第１の通常開放されたスイッチコンタクトを閉じ、前記第２の柔軟性ドームの前記ドーム部は、前記第２の柔軟性ドームが第２の作動力で押圧されるとき、前記第２のスイッチコンタクトの第２の通常開放されたスイッチコンタクトを閉じるものであり、
前記コントローラは、前記第２の押しボタンスイッチに電気的に接続されており、前記電池が前記ハウジングの空洞部に存在するとき、前記第２の押しボタンスイッチの前記第２のスイッチコンタクトの閉鎖、開放、または両方に応答して前記電気光源への電力を制御し、前記電気光源を少なくとも選択的に作動および非作動にするものであり、
上記制御により、前記電気光源を作動するための電力を前記第２の押しボタンスイッチに流すことなく、前記第２の押しボタンスイッチに応答して、前記電気光源を選択的に作動および非作動にすることが可能となることを特徴とする
懐中電灯。
【請求項１２】
請求項１１記載の懐中電灯において、前記第１の押しボタンスイッチは前記ハウジングの前端部に近接して配置され、前記第２の押しボタンスイッチは前記ハウジングの後端部に近接して配置されるものである懐中電灯。
【請求項１３】
請求項１１記載の懐中電灯において、前記第１の押しボタンスイッチおよび前記第２の押しボタンスイッチのいずれかまたは両方は、さらに、
ばねを介して前記柔軟性ドームに力を作用させるよう移動自在なアクチュエータを有し、
前記アクチュエータは、前記柔軟性ドームの前記通常開放されたコンタクトを閉じる距離を移動し、この距離は、前記柔軟性ドームの作動距離よりも実質的に長いものである懐中電灯。
【請求項１４】
請求項１０記載の懐中電灯において、前記コントローラは前記電気光源に対する電力を制御して、前記電気光源の一時的作動、前記電気光源の継続的な作動、前記電気光源の非作動、前記電気光源の作動状態と非作動状態を交互に繰り返すこと、前記電気光源をより高い作動状態からより低い作動状態に変化させること、前記電気光源をより低い作動状態からより高い作動状態に変化させること、または上記の任意の組み合わせを行うものである懐中電灯。
【請求項１５】
請求項１０記載の懐中電灯において、前記コントローラは、前記電気光源を、一時的なオン、継続的なオン、オフ、点滅、および減光動作状態、および選択的に非減光動作状態に制御するものである懐中電灯。
【手続補正２】
【補正対象書類名】明細書
【補正対象項目名】０００６
【補正方法】変更
【補正の内容】
【０００６】
懐中電灯は、比較的高価である可能性があり、スイッチの故障時に懐中電灯を交換することは望ましくない。また、良質なライトの信頼性が、安価なクリック式スイッチによって損なわれることも望ましくない。そのような懐中電灯の修理は、高価かつ不便につく可能性もあり、製造者の保証のもとにあり、または良質な製品のものとして認識されている商標で販売されている良質な懐中電灯にとって、望ましくない大きな商業的影響につながる可能性がある。
さらには、懐中電灯が、特定の職務および職業の者によって使用される場合、ライトの故障は、不便どころではないはるかに深刻な結果につながりかねない。特に、警察、消防、緊急対応者、救急隊員、兵士、警備担当者などによって使用される懐中電灯の場合に、スイッチの故障ゆえに動作することができない懐中電灯または他の器具が動作すると思い込むことは、生命および財産を危険にさらす結果となりかねず、怪我、人命の喪失、および／または財産の損失につながる可能性もある。
この出願の発明に関連する先行技術文献情報としては、以下のものがある（国際出願日以降国際段階で引用された文献及び他国に国内移行した際に引用された文献を含む）。
【先行技術文献】
【特許文献】
【手続補正３】
【補正対象書類名】明細書
【補正対象項目名】０００７
【補正方法】変更
【補正の内容】
【０００７】
【特許文献１】  韓国登録実用新案第２０−０４２３０３８号公報
【特許文献２】  特開２００５−３３２６６４号公報
【特許文献３】  韓国公開特許第１０−２００６−００６３７２１号公報
【特許文献４】  特開２００２−２４５８９５号公報
【特許文献５】  国際公開第２００５／１２４８０５号公報
【特許文献６】  米国特許第６２２２１３８号明細書
【特許文献７】  米国特許第６４７４８３３号明細書
【特許文献８】  米国特許出願公開第２００７／０２４６３３５号明細書
【特許文献９】  米国特許第３９４１９６４号明細書
【特許文献１０】  米国特許第７０９０３７４号明細書
【発明の概要】
【課題を解決するための手段】